(57)【要約】【課題】再利用処理条件の自動的な判定により商品の再利用を促進する方法及びシステムを提供する。【解決手段】コンピュータを利用して、拠点から回収した複数種の回収商品を寄せ集めて再利用することを促進する方法であって、前記コンピュータが、前記複数種の回収商品のそれぞれの商品種に対応する組成物情報及び数量情報を少なくとも保有する回収商品データベースを構築するデータベース構築段階Ｓ２０１と、前記回収商品データベースに基づいて、前記再利用がなされる処理対象物の組成物構成情報を自動的に特定する処理対象物特定段階Ｓ２０２と、前記組成物構成情報に基づいて、最適化された再利用処理条件を自動的に判定する処理条件判定段階Ｓ２０３と、を少なくとも行う、商品再利用促進方法を提供する。【選択図】図２
2020154394.tif 000002
【特許請求の範囲】
【請求項１】
コンピュータを利用して、拠点から回収した複数種の回収商品を寄せ集めて再利用することを促進する方法であって、
前記コンピュータが、
前記複数種の回収商品のそれぞれの商品種に対応する組成物情報及び数量情報を少なくとも保有する回収商品データベースを構築するデータベース構築段階と、
前記回収商品データベースに基づいて、前記再利用がなされる処理対象物の組成物構成情報を自動的に特定する処理対象物特定段階と、
前記組成物構成情報に基づいて、最適化された再利用処理条件を自動的に判定する処理条件判定段階と、
を少なくとも行う、商品再利用促進方法。
【請求項２】
前記再利用処理条件に基づいて、再利用処理を行う再利用処理段階と、
前記再利用処理の過程でエネルギー源を得る再生可能エネルギー取得段階と、
を含む、請求項１に記載の商品再利用促進方法。
【請求項３】
前記拠点は組織化された店舗である、請求項１又は２に記載の商品再利用促進方法。
【請求項４】
前記組成物情報及び前記数量情報は、回収される商品に付された識別情報によって取得する、請求項１〜３のいずれか一項に記載の商品再利用促進方法。
【請求項５】
前記識別情報はＰＯＳコードである、請求項４に記載の商品再利用促進方法。
【請求項６】
前記回収商品は食品である、請求項１〜５のいずれか一項に記載の商品再利用促進方法。
【請求項７】
前記回収商品は、前記拠点から有償で引き取られた商品である、請求項１〜６のいずれか一項に記載の商品再利用促進方法。
【請求項８】
前記再利用処理は発酵である、請求項２に記載の商品再利用促進方法。
【請求項９】
前記発酵は湿式メタン発酵である、請求項８に記載の商品再利用促進方法。
【請求項１０】
前記エネルギー源はガス又は熱である、請求項２に記載の商品再利用促進方法。
【請求項１１】
前記エネルギー源を用いて発電を行う段階を含む、請求項２、８、９、又は１０に記載の商品再利用促進方法。
【請求項１２】
前記再利用の過程で生じる残渣物を再利用する段階を含む、請求項１〜１１のいずれか一項に記載の商品再利用促進方法。
【請求項１３】
前記回収商品から分別された包装資材を再利用する段階をさらに含む、請求項１〜１２のいずれか一項に記載の商品再利用促進方法。
【請求項１４】
前記再利用処理段階は、食品加工工場から回収された食品材料及び／又は調理済み食品を再利用処理することも含む、請求項２に記載の商品再利用促進方法。
【請求項１５】
コンピュータを利用して、拠点から回収した複数種の回収商品を寄せ集めて再利用することを促進するシステムであって、
前記コンピュータが、
前記複数種の回収商品のそれぞれの商品種に対応する組成物情報及び数量情報を少なくとも保有する回収商品データベースと、
前記回収商品データベースに基づいて、前記再利用がなされる処理対象物の組成物構成情報を自動的に特定し、前記組成物構成情報に基づいて、最適化された再利用処理条件を自動的に判定する処理条件判定部と、を少なくとも備え、
前記再利用処理条件に基づいて再利用処理を行い、前記再利用処理の過程で得られたエネルギー源を得ることを特徴とする、商品再利用促進システム。
【発明の詳細な説明】
【技術分野】
【０００１】
本発明は、商品の再利用を促進する方法及びシステムに関する。
【背景技術】
【０００２】
限りある資源の有効活用や地球温暖化対策等のために、商品の再利用により循環型社会の構築に寄与することが求められている。
【０００３】
一方、コンビニエンスストア等の店舗が賞味期限までに販売できなかった商品の処理方法が社会的な問題となっている。食品加工工場が賞味期限までに出荷できなかった食品材料及び／又は調理済み食品についても同様である。現状、このような商品又は食品材料等は、回収されて大半が焼却処理されている。
【０００４】
焼却処理せず再利用処理する場合の一例として、飼料化、堆肥化、又はエネルギー生成等が挙げられる。このような再利用処理では、複数種の商品又は食品材料等が混合されることが一般的である。
【発明の概要】
【発明が解決しようとする課題】
【０００５】
しかしながら、この再利用処理において、商品又は食品材料等の組成物の構成によって適切な処理条件が異なるため、再利用処理が非効率であるという問題があった。
【０００６】
そこで本発明は、この処理条件の自動的な判定により、商品又は食品材料等の再利用を促進する方法及びシステムを提供することを主目的とする。
【課題を解決するための手段】
【０００７】
本発明は、コンピュータを利用して、拠点から回収した複数種の回収商品を寄せ集めて再利用することを促進する方法であって、前記コンピュータが、前記複数種の回収商品のそれぞれの商品種に対応する組成物情報及び数量情報を少なくとも保有する回収商品データベースを構築するデータベース構築段階と、前記回収商品データベースに基づいて、前記再利用がなされる処理対象物の組成物構成情報を自動的に特定する処理対象物特定段階と、前記組成物構成情報に基づいて、最適化された再利用処理条件を自動的に判定する処理条件判定段階と、を少なくとも行う、商品再利用促進方法を提供する。
前記商品再利用促進方法は、前記再利用処理条件に基づいて、再利用処理を行う再利用処理段階と、前記再利用処理の過程でエネルギー源を得る再生可能エネルギー取得段階と、を含むことができる。
前記拠点は組織化された店舗であってもよい。
前記組成物情報及び前記数量情報は、回収される商品に付された識別情報によって取得することができる。
前記識別情報はＰＯＳコードであってもよい。
前記回収商品は食品であってもよい。
前記回収商品は、前記拠点から有償で引き取られた商品であってもよい。
前記再利用処理は発酵であってもよい。
前記発酵は湿式メタン発酵であってもよい。
前記エネルギー源はガス又は熱であってもよい。
前記商品再利用促進方法は、前記エネルギー源を用いて発電を行う段階を含むことができる。
前記商品再利用促進方法は、前記再利用の過程で生じる残渣物を再利用する段階を含むことができる。
前記商品再利用促進方法は、前記回収商品から分別された包装資材を再利用する段階をさらに含むことができる。
前記再利用処理段階は、食品加工工場から回収された食品材料及び／又は調理済み食品を再利用処理することも含むことができる。
また、本発明は、コンピュータを利用して、拠点から回収した複数種の回収商品を寄せ集めて再利用することを促進するシステムであって、前記コンピュータが、前記複数種の回収商品のそれぞれの商品種に対応する組成物情報及び数量情報を少なくとも保有する回収商品データベースと、前記回収商品データベースに基づいて、前記再利用がなされる処理対象物の組成物構成情報を自動的に特定し、前記組成物構成情報に基づいて、最適化された再利用処理条件を自動的に判定する処理条件判定部と、を少なくとも備え、前記再利用処理条件に基づいて再利用処理を行い、前記再利用処理の過程で得られたエネルギー源を得ることを特徴とする、商品再利用促進システムを提供する。
【発明の効果】
【０００８】
本発明によれば、再利用処理条件の自動的な判定により商品の再利用を促進する方法及びシステムを提供することができる。
【図面の簡単な説明】
【０００９】
【図１】本発明に係る商品再利用促進方法を実現するサプライチェーンの一実施形態の構成図である。
【図２】本発明に係る商品再利用促進方法のフローチャートの一例である。
【図３】本発明に係る回収商品データベースの一実施形態である。
【図４】本発明に係る組成物構成情報の一例である。
【図５】本発明に係る回収商品データベースの一実施形態である。
【図６】回収商品ごとのエネルギー発生パターンの違いを説明する図である。
【図７】本発明に係る処理条件判定段階のフローチャートの一例である。
【図８】本発明に係る処理条件判定段階の判定についての説明図である。
【図９】本発明に係る処理条件判定段階の判定についての説明図である。
【図１０】本発明に係る商品再利用促進方法を実現するサプライチェーンの一実施形態の構成図である。
【図１１】本発明に係るＰＯＳコードの一実施形態である。
【図１２】本発明に係る商品再利用促進方法のフローチャートの一例である。
【図１３】本発明に係る再利用処理段階のフローチャートの一例である。
【図１４】本発明に係る商品再利用促進方法を実現するサプライチェーンの一実施形態の構成図である。
【図１５】本発明に係る回収商品の数量を検査する段階のフローチャートの一例である。
【図１６】本発明に係る商品再利用促進方法のフローチャートの一例である。
【図１７】本発明に係る商品再利用促進方法を実現するサプライチェーンの一実施形態の構成図である。
【図１８】本発明に係る商品再利用促進方法のフローチャートの一例である。
【図１９】本発明に係る商品再利用促進方法を実現するサプライチェーンの一実施形態の構成図である。
【図２０】本技術に係る商品再利用促進方法のフローチャートの一例である。
【図２１】本技術に係る引取条件判定段階のフローチャートの一例である。
【図２２】本技術に係る商品再利用促進方法を実現するサプライチェーンの一実施形態の構成図である。
【図２３】本発明に係る商品再利用促進方法のフローチャートの一例である。
【図２４】本発明に係る商品再利用促進方法を実現するサプライチェーンの一実施形態の構成図である。
【図２５】本発明に係る商品再利用促進方法のフローチャートの一例である。
【図２６】本発明に係る商品再利用促進方法を実現するサプライチェーンの一実施形態の構成図である。
【図２７】本発明に係る商品再利用促進システムを備えるサプライチェーンの一実施形態の構成図である。
【発明を実施するための形態】
【００１０】
以下、本発明を実施するための好適な形態について、添付した図面を参照しつつ説明する。なお、以下に説明する実施形態は、本発明の代表的な実施形態を示したものであり、本発明の範囲がこれらの実施形態に限定されることはない。なお、本発明の説明は以下の順序で行う。
１．本発明に係る第１の実施形態（商品再利用促進方法）
（１）概要
（２）処理条件判定
（３）再利用処理
（４）発電
（５）引取条件判定
（６）残渣物処理
（７）包装資材処理
２．本発明に係る第２の実施形態（商品再利用促進システム）
【００１１】
１．本発明に係る第１の実施形態（商品再利用促進方法）
【００１２】
（１）概要
本発明に係る商品再利用促進方法は、コンピュータを利用して、拠点から回収した複数種の回収商品を寄せ集めて再利用することを促進する方法である。本発明に係る商品再利用促進方法が目指すところは、商品の再利用を促進することにより、循環型社会の構築に寄与することである。
【００１３】
本発明に係る商品再利用促進方法を実現するサプライチェーンの一実施形態の構成図を図１に示す。図１に示されるとおり、このサプライチェーンの一実施形態は、拠点の一例であるコンビニエンスストア等の複数の店舗（１１〜１３）と、中継拠点１４と、コンピュータ装置２０と、熱回収施設３０と、送配電施設４０と、から構成される。なお、この拠点は、例えば配送センターや食品加工工場等から構成されてもよい。
【００１４】
コンピュータ装置２０は、回収商品データベース２１と、処理条件判定部２２と、を備えることができる。熱回収施設３０は、再利用処理装置３１と、発電装置３２と、を備えることができる。
【００１５】
本技術に係る商品再利用促進方法は、いわゆるＰＣ、サーバ、ワークステーション、タブレット端末等のスタンドアロンのコンピュータ装置を利用することによって実現される。あるいは、本技術に係る商品再利用促進方法は、ネットワークを介して協働する複数のコンピュータ装置から成るコンピュータシステムを利用することによって実現される。
【００１６】
複数の店舗（１１〜１３）から回収された複数種の商品は、中継拠点１４に寄せ集められて、再利用処理装置３１へ運ばれる。なお、中継拠点１４を経由せず、複数の店舗（１１〜１３）から再利用処理装置３１へ商品が運ばれてもよい。
【００１７】
あわせて、これらの回収商品に係るデータに基づいて、コンピュータ装置２０が、回収商品データベース２１を構築する。処理条件判定部２２は、回収商品データベース２１を参照し、最適な処理条件を判定する。
【００１８】
再利用処理装置３１は、この処理条件に基づいて、前記商品を再利用処理し、エネルギー源に変換する。発電装置３２は、このエネルギー源を電力に変換する。
【００１９】
送配電施設４０は、この電力を前記複数の店舗（１１〜１３）へ供給する。このようにして、本発明に係る商品再利用促進方法は、循環型社会の構築に寄与している。
【００２０】
（２）処理条件判定
本発明に係る商品再利用促進方法のフローチャートの一例を図２に示す。図２に示されるとおり、前記コンピュータは、データベース構築段階Ｓ２０１と、処理対象物特定段階Ｓ２０２と、処理条件判定段階Ｓ２０３と、を少なくとも行う。
【００２１】
データベース構築段階Ｓ２０１は、回収商品データベースを構築する。この回収商品データベースの一実施形態を図３に示す。図３に示されるとおり、この回収商品データベースは、複数種の回収商品のそれぞれの商品種に対応する組成物情報及び数量情報を少なくとも保有している。
【００２２】
この数量情報は、それぞれの拠点が保有しているそれぞれの回収商品の数量に関する情報を含んでいる。図３に示される一実施形態では、拠点１１が保有している回収商品Ａの数量は２０である。拠点１２が保有している回収商品Ａの数量は１０である。拠点１３が保有している回収商品Ａの数量は３０である。
【００２３】
この組成物情報は、複数種の回収商品のそれぞれの商品種が構成する組成物に関する情報を含んでいる。図３に示される一実施形態では、この組成物情報は、タンパク質情報と、炭水化物情報と、脂質情報と、を含んでいる。これらの情報と、エネルギー源の発生量との間に相関関係があることが知られている。なお、この組成物情報が含む情報は特に限定されない。よって、これらの情報がこの組成物情報に含まれていなくてもよいし、これら以外の情報がこの組成物情報に含まれていてもよい。
【００２４】
さらに組成物情報について説明すると、回収商品Ａ（冷凍餃子）の１個あたりのタンパク質の量は６０グラムである。回収商品Ａの１個あたりの炭水化物の量は１８８グラムである。回収商品Ａの１個あたりの脂質の量は８４グラムである。
【００２５】
この回収商品データベースは、データベース管理システム（ＤＢＭＳ：database management system）を利用することにより構築されることができる。この回収商品データベース及びデータベース管理システムは、前記コンピュータ装置が内蔵する又は外付けされるハードディスクドライブやソリッドステートドライブ等の記憶装置に格納されることができる。このコンピュータ装置が内蔵するＣＰＵ等の演算部が、このデータベース管理システムを動作させることができる。
【００２６】
続いて、処理対象物特定段階Ｓ２０２は、前記回収商品データベースに基づいて、前記再利用がなされる処理対象物の組成物構成情報を自動的に特定する。
【００２７】
組成物構成情報の一例を図４に示す。図４に示される一実施形態では、例えば、回収商品Ａの数量が５００、回収商品Ｂの数量が３００、回収商品Ｃの数量が２００となっている。この場合の処理対象物の組成物構成情報は、図４に示されるとおりとなる。この例では、回収商品Ａのタンパク質の量は３０．０キログラム（１個あたり６０グラム×数量５００個）である。
【００２８】
この組成物構成情報は、コンピュータ装置が内蔵する又は外付けされる記憶装置に、データベースとして構成されてもよいし、データファイルとして保存されてもよい。このデータベースは、前記回収商品データベースの一部として構築されてもよいし、組成物構成情報用のデータベースとして独自に構築されてもよい。
【００２９】
処理対象物特定段階Ｓ２０２は、例えばプログラムによって実現されることができる。このプログラムは、前記コンピュータ装置が内蔵するメモリやハードディスクドライブ等の前記記憶装置に格納されることができる。このコンピュータ装置が内蔵するＣＰＵ等の演算部が、このプログラムを動作させることができる。
【００３０】
あるいは、このプログラムは、前記回収商品データベースを保有するコンピュータ装置のほかのコンピュータ装置又はコンピュータシステムに格納されてもよい。この場合、前記回収商品データベースを保有するコンピュータ装置は、このプログラムが有する機能を提供するクラウドサービスを利用することができる。このクラウドサービスとして、例えばＳａａＳ（Software as a Service）、ＩａａＳ（Infrastructure as a Service）、ＰａａＳ（Platform as a Service）等が挙げられる。
【００３１】
さらにこのプログラムは、記憶媒体に記憶されることができる。すなわち、このプログラムは、ＣＤ−ＲＯＭ、ＤＶＤ、フラッシュメモリ、ハードディスクドライブ等の記憶媒体に、コンピュータ装置が読み取り可能な形態で記憶されることができる。これ以外にも、本発明の主旨を逸脱しない限り、上記実施の形態で挙げた構成を取捨選択したり、他の構成に適宜変更したりすることが可能である。
【００３２】
図２の説明に戻る。処理条件判定段階Ｓ２０３は、前記組成物構成情報に基づいて、最適化された再利用処理条件を自動的に判定する。処理条件判定段階Ｓ２０３は、処理対象物特定段階Ｓ２０２と同様に、例えばプログラムによって実現されることができる。このプログラムは、処理対象物特定段階Ｓ２０２を実現するプログラムが格納されるコンピュータ装置に格納されてもよいし、このコンピュータ装置と異なるコンピュータ装置に格納されてもよい。このコンピュータ装置が内蔵するＣＰＵ等の演算部が、このプログラムを動作させることができる。
【００３３】
処理条件判定段階Ｓ２０３は、前記組成物構成情報に基づいて、前記回収商品データベースを参照しながら、前記処理対象物に最適な再利用処理条件を自動的に判定する。この回収商品データベースのさらなる一実施形態を図５に示す。図５に示されるとおり、この回収商品データベースは、複数種の回収商品のそれぞれの商品種に対応するエネルギー発生量情報又はエネルギー発生パターン情報を少なくとも保有することができる。
【００３４】
このエネルギー発生量情報は、再利用処理における回収商品ごとのエネルギー発生量を示す値である。このエネルギー発生量の値が高いほど、再利用処理において得られるエネルギー発生量が多いことを示す。このエネルギー発生量の値が低いほど、再利用処理において得られるエネルギー発生量が少ないことを示す。
【００３５】
このエネルギー発生パターン情報は、再利用処理における回収商品ごとのエネルギー発生パターンを示す。
【００３６】
回収商品ごとのエネルギー発生パターンの違いを説明する図を図６に示す。図６において、横軸は再利用処理を開始してから経過した日数である。縦軸は再利用処理におけるエネルギー発生量である。このように、回収商品によってエネルギー発生パターンが異なることがわかる。例えば回収商品Ｍについては、再利用処理開始後２日経過した後から急激にエネルギー発生量が多くなっている。その後、このエネルギー発生量は６日経過した後から緩やかに減少している。そして、９日経過した後はこのエネルギー発生量が少なくなっている。
【００３７】
なお、回収商品データベースは、このエネルギー発生量情報とエネルギー発生パターン情報のほかに、例えば全固形分情報、揮発性固形分情報、分解率情報、減量率情報、残渣物情報又は発電量情報等を含むことができる。この全固形分情報は、液体を蒸発固化したときの残留物の割合を示す。この揮発性固形分情報は、この残留物を６００度で強熱することにより揮散する物質の割合を示す。この分解率情報は、この揮発性固形分情報に対する、エネルギー源に変換される割合を示す。この減量率情報は、この全固形分情報に対する、発酵残渣が生成する割合を示す。この残渣物情報は、再利用処理における残渣物の量や割合等を示す。この発電量情報は、このエネルギー源を用いて発電するときの発電量を示す。
【００３８】
図２の説明に戻る。処理条件判定段階Ｓ２０３は、図３又は５に示されるような前記回収商品データベースの情報と、図４に示されるような前記組成物構成情報と、に基づいて、前記処理対象物に最適な再利用処理条件を自動的に判定する。
【００３９】
処理条件判定段階Ｓ２０３が処理条件を判定するフローチャートの一例を図７に示す。図７に示されるとおり、処理条件判定段階Ｓ２０３は、組成物構成情報を取得する段階Ｓ２０３１と、エネルギー発生量情報とエネルギー発生パターン情報を取得する段階Ｓ２０３２と、処理条件を判定する段階Ｓ２０３３と、を少なくとも含むことができる。
【００４０】
組成物構成情報を取得する段階Ｓ２０３１は、処理対象物特定段階Ｓ２０２が特定した組成物構成情報を取得する。エネルギー発生量情報とエネルギー発生パターン情報を取得する段階Ｓ２０３２は、回収商品データベースを参照して、前記組成物構成情報に対応するエネルギー発生量情報とエネルギー発生パターン情報を取得する。処理条件を判定する段階Ｓ２０３３は、このエネルギー発生量情報とエネルギー発生パターン情報に基づいて、最適な処理条件を判定する。
【００４１】
処理条件判定段階Ｓ２０３の判定についての説明図を図８及び９に示す。図８は、処理条件判定段階Ｓ２０３が処理条件を判定しないときの、エネルギー発生量の経時的変化の一例を示す。この一例では、まず、エネルギー発生速度が遅い処理対象物に対して再利用処理が行われ、その後、エネルギー発生速度が速い処理対象物に対して再利用処理が行われている。そのため、時間ｔ１以降にエネルギー発生量が急激に増加している。
【００４２】
１〜６号機は、発生したエネルギー源を用いて発電等をする装置を示す。図８に示される実施例では、この装置を６台稼働させなければならないことがわかる。
【００４３】
一方、図９は、処理条件判定段階Ｓ２０３が処理条件を判定するときの、エネルギー発生量の経時的変化の一例を示す。この一例では、まず、エネルギー発生量の経時的変化が少ない処理対象物に対して再利用処理が行われている。その後、その他の処理対象物の量を複数に分割し、それぞれの処理対象物に対して再利用処理が順次行われている。そのため、エネルギー発生量が急激に増加することなく、平準化されている。
【００４４】
したがって、図８に示される実施例と比較して、図９に示される実施例では、発生したエネルギー源を用いて発電等をする装置の稼働台数が４台に削減されている。そのため、運用コストが削減される。
【００４５】
この再利用処理条件は、例えば処理対象物の投入量、投入期間、又は投入回数等を含むことができる。これらの情報を含んだ再利用処理条件は、例えばプログラムに記録されたり、データファイルに格納されたり、データベースに格納されたりすることができる。
【００４６】
この投入量は、再利用処理装置３１内の容器等に投入される処理対象物の量を示す。この投入期間は、処理対象物がこの容器等に投入される期間を示す。この投入回数は、処理対象物がこの容器等に投入される回数を示す。
【００４７】
図６に示されるように、回収商品ごとにエネルギー発生速度のピークがある。例えばこのピークに基づいて、処理条件判定段階Ｓ２０３は、エネルギー発生量が平準化するように、この投入量、投入期間、又は投入回数等の再利用処理条件を判定する。これにより、再利用処理の効率が向上する。
【００４８】
本発明に係る商品再利用促進方法を実現するサプライチェーンの一実施形態の構成図を図１０に示す。図１０に示されるとおり、このサプライチェーンは、一つ又は複数の拠点（１１〜１３）と、コンピュータ装置２０から構成される。コンピュータ装置２０は、回収商品データベース２１と、処理条件判定部２２と、を少なくとも備える。なお、拠点の数は３つに限られない。
【００４９】
それぞれの拠点（１１〜１３）は、商品の製造又は販売等を行う。コンピュータ装置２０は、この商品データに基づいて、データベース構築段階Ｓ２０１と、処理対象物特定段階Ｓ２０２と、処理条件判定段階Ｓ２０３と、を行う。
【００５０】
それぞれの拠点（１１〜１３）から商品が出荷されるとき、出荷される複数種の商品のそれぞれの商品種に対応する組成物情報及び数量情報が、通信ネットワークを介して、回収商品データベース２１に登録される（データベース構築段階Ｓ２０１）。
【００５１】
前記組成物情報及び前記数量情報は、回収される商品に付された識別情報によって取得することができる。この識別情報の形態は特に限定されないが、例えばＰＯＳ（Point Of Sales）コードを利用できる。ＰＯＳコードの一実施形態を図１１に示す。図１１（ａ）は、このＰＯＳコードをバーコードで表現したものである。図１１（ｂ）は、このＰＯＳコードを二次元コードで表現したものである。その他、このＰＯＳコードは例えばＯＣＲ（図示せず）等で表現されてもよい。
【００５２】
このＰＯＳコードはＰＯＳシステムで利用されている識別情報である。このＰＯＳシステムは、商品の販売情報の管理システムであり、全国のスーパーマーケットやコンビニエンスストア等で広く利用されている。このＰＯＳシステムの利用により、それぞれの拠点における商品の在庫情報がリアルタイムに取得できる。
【００５３】
図１０の説明に戻る。このサプライチェーンの一実施形態は、前記ＰＯＳコードを読み取る読み取り装置（図示せず）と、この読み取り装置に接続されており通信機能を有する処理装置（図示せず）と、を少なくとも備えている。この読み取り装置とこの処理装置は、それぞれの拠点（１１〜１３）に配置されている。また、コンピュータ装置２０も通信機能を有している。この通信機能は、例えばルータ等によって実現されることができる。
【００５４】
それぞれの拠点（１１〜１３）から回収商品が出荷されるとき、それぞれの拠点（１１〜１３）において、それぞれの回収商品に付されたＰＯＳコードをこの読み取り装置が読み取る。この処理装置は、この読み取られたＰＯＳコードに係る回収商品情報を、通信ネットワークを介してコンピュータ装置２０に送信する。コンピュータ装置２０の前記データベース管理システム（図示せず）は、送信された回収商品情報に基づいて、回収商品データベース２１のデータを更新する。
【００５５】
より具体的に説明すると、例えば５個の回収商品Ａが拠点１１から出荷されるとする。この５個の回収商品Ａのそれぞれに付されたＰＯＳコードを、拠点１１に配置された読み取り装置が読み取る。すると、この５個の回収商品Ａに関する回収商品情報を、拠点１１に配置された処理装置がコンピュータ装置２０に送信する。コンピュータ装置２０のデータベース管理システムは、回収商品データベース２１において、回収商品Ａの拠点１１の数量情報を５個減算する。
【００５６】
なお、前記識別情報は、例えばＩＣタグであってもよい。ＩＣタグとすることにより、複数の商品の識別情報が一度に取得されることができる。そのため、処理の効率が向上する。
【００５７】
処理条件判定部２２は、回収商品データベース２１を参照し、前記再利用がなされる処理対象物の組成物構成情報を自動的に特定する（処理対象物特定段階Ｓ２０２）。上述したように、処理条件判定部２２はプログラムによって実現されることができる。組成物構成情報は、コンピュータ装置２０が内蔵する又は外付けされる記憶装置（図示せず）に格納されることができる。
【００５８】
さらに、処理条件判定部２２は、前記組成物構成情報に基づいて、前記回収商品データベース２１等を参照しながら、最適化された再利用処理条件を自動的に判定する（処理条件判定段階Ｓ２０３）。
【００５９】
（３）再利用処理
本発明に係る商品再利用促進方法のフローチャートの一例を図１２に示す。図１２に示されるとおり、本発明に係る商品再利用促進方法は、さらに再利用処理段階Ｓ３０１と、再生可能エネルギー取得段階Ｓ３０２と、を含むことができる。
【００６０】
再利用処理段階Ｓ３０１は、処理条件判定段階Ｓ２０３が判定した最適な再利用処理条件に基づいて、再利用処理を行う。例えば熱回収施設がこの再利用処理を行うことができる。この再利用処理の内容は特に限定されないが、一例を挙げれば、飼料化、堆肥化、発酵等が挙げられる。
【００６１】
再生可能エネルギー取得段階Ｓ３０２は、再利用処理段階Ｓ３０１の過程でエネルギー源を得る。例えば熱回収施設がこのエネルギー源を得ることができる。
【００６２】
前記エネルギー源はガスであってもよいし、熱であってもよい。前記商品が食品である場合、再利用処理段階Ｓ３０１が、この食品を発酵させることによって、再生可能エネルギー取得段階Ｓ３０２が、エネルギー源であるガスを取得できる。この発酵とは、食品などの有機物を嫌気状態（酸素がない状態）にすることにより、エネルギー源を得る過程のことをいう。
【００６３】
この食品は、例えば加工食品、生鮮食品、又は添加物等を含む。加工食品は、一例として弁当、野菜缶、果実缶、茶、香辛料、パン類、冷菓、加工食肉製品、牛乳、アイスクリーム類、煮干魚介類、食用植物油脂、調理冷凍食品、飲料等を含む。また、生鮮食品は、一例として精米、大麦、とうもろこし、大豆、根菜類、かんきつ類、牛肉、鶏卵、魚類、貝類、海藻類等を含む。
【００６４】
この飲料は、例えば再利用処理段階Ｓ３０１における希釈水として用いられることができる。この飲料は、例えばペットボトル飲料や紙パック飲料等を含む。
【００６５】
前記商品が食品ではない場合、再利用処理段階Ｓ３０１が、この商品を焼却することによって、再生可能エネルギー取得段階Ｓ３０２が、エネルギー源である熱を取得できる。
【００６６】
前記発酵の型には、一例を挙げれば、アルコール発酵、乳酸発酵、酸化発酵、酪酸型発酵、ブタノール−アセトン型発酵、硝酸塩発酵、酢酸発酵等がある。多くの再生可能エネルギーを得るためには、メタン発酵が効果的である。
【００６７】
メタン発酵とは、食品などの有機物を嫌気状態にすることにより、有機物を微生物に分解させ、メタンガスを発生させる過程のことをいう。この食品にはタンパク質や脂質、セルロース等が含まれる。この食品が、加水分解菌によってアミノ酸、脂肪酸、糖等に分解され、それらが酢酸生成菌によって酢酸に変換され、さらにそれらがメタン生成菌によってメタンガスを発生する。このメタンガスは、例えば発電源となったり、ボイラー燃料となったりすることができる。
【００６８】
メタン発酵法の種類として、例えばＵＡＳＢ（Upflow Anaerobic Sludge Blanket）法や湿式メタン発酵法等が挙げられる。ＵＡＳＢ法は、メタン菌をグラニュー化して処理する方法である。ＵＡＳＢ法は、主に食品排水を処理する方法であり、固形物の処理を不得意とする。湿式メタン発酵法は、約５５度の高温環境又は約３５度の中温環境で分解速度が高まるメタン菌を利用する方法である。湿式メタン発酵法は、主に生ごみや下水汚泥を処理する方法である。
【００６９】
本発明に係るメタン発酵法は、湿式メタン発酵法とすることができる。環境省が開示している「平成２５年度廃棄物系バイオマス利活用導入促進事業委託業務報告書」によると、湿式メタン発酵法によるメタンガス発生量は、処理対象物１トンあたり約１２０Ｎｍ３である。
【００７０】
本発明に係る再利用処理段階Ｓ３０１のフローチャートの一例を図１３に示す。図１３に示されるとおり、再利用処理段階Ｓ３０１は、分別段階Ｓ３０１１と、混合段階Ｓ３０１２と、滞留段階Ｓ３０１３と、を含むことができる。
【００７１】
分別段階Ｓ３０１１は、商品を、その内容物である有機物と、その商品の包装資材とに分別する。分別段階Ｓ３０１１の実現手段は特に限定されないが、例えば粉砕機とふるいとを少なくとも備える分別装置によって実現されることができる。この粉砕機により粉砕された商品が、振動するふるいの上を通過する。すると、包装資材がふるいの下に落ちて、有機物のみがふるいの上を通過する。
【００７２】
混合段階Ｓ３０１２は、この有機物とメタン菌を加熱しながら混合することも可能である。混合段階Ｓ３０１２の実現手段は特に限定されないが、例えば回転する容器と加熱部とを少なくとも備える投入装置によって実現されることができる。この有機物とメタン菌とが投入されたこの容器が回転する。この加熱部がこの容器を加熱する。このことにより、有機物とメタン菌とが混合される。この加熱における温度は、前記再利用処理条件が含んでいる前記温度情報に対応している。
【００７３】
滞留段階Ｓ３０１３は、前記有機物をメタン菌に分解させ、メタンガスを発生させる。滞留段階Ｓ３０１３の実現手段は特に限定されないが、例えばメタン発酵槽によって実現されることができる。このメタン発酵槽の内部で、前記有機物と前記メタン菌を所定の時間滞留させる。なお、生成されたばかりのメタンガスは硫化水素をはじめとする種々の不純物を含んでいる。そのため、必要に応じて不純物を除去する必要がある。
【００７４】
発酵を終えた未分解の前記有機物は残渣物となる。この残渣物の一部は、前記投入装置に投入されることにより、有機物とメタン菌との混合を補助することができる。
【００７５】
図１２の説明に戻る。再生可能エネルギー取得段階Ｓ３０２は、再利用処理段階Ｓ３０１において発生したメタンガスを貯留する。再生可能エネルギー取得段階Ｓ３０２の実現手段は特に限定されないが、例えばバイオガスホルダーによって実現されることができる。
【００７６】
本発明に係る商品再利用促進方法を実現するサプライチェーンの一実施形態の構成図を図１４に示す。図１４に示されるとおり、このサプライチェーンは、熱回収施設３０をさらに備えることができる。この熱回収施設３０は、再利用処理装置３１を少なくとも備えることができる。
【００７７】
再利用処理装置３１は、コンピュータ装置２０の処理条件判定部２２が判定した再利用処理条件に基づいて、回収商品に対して再利用処理を行う（再利用処理段階Ｓ３０１）。さらに、再利用処理装置３１は、再利用処理段階Ｓ３０１の過程でエネルギー源を得る（再生可能エネルギー取得段階Ｓ３０２）。
【００７８】
それぞれの拠点（１１〜１３）から回収された商品は、再利用処理装置３１へ運ばれる。なお、回収経路に中継拠点（図示せず）を設けて、複数の回収商品がこの中継拠点に寄せ集められてもよい。このことにより、複数の回収商品は効率的に回収されることができるし、この中継拠点において複数の回収商品は商品種ごとに仕分けられることができる。
【００７９】
なお、複数の拠点（１１〜１３）のそれぞれは、組織化された店舗であってもよいし、独立した店舗であってもよい。あるいは、組織化された店舗群が複数あってもよい。複数の拠点（１１〜１３）のそれぞれが組織化された店舗である場合は、例えば、それぞれの店舗が保有する商品の在庫情報を、コンピュータ装置２０が一括で管理できる。あるいは、一台の車両が複数の店舗の商品を一度に回収できる。
【００８０】
また、複数の拠点（１１〜１３）のそれぞれは、商品を店舗に配送する配送センターであってもよい。
【００８１】
配送センターが出荷された商品は、店舗に配送されずに再利用処理装置３１へ運ばれる場合がある。例えば、輸入したバナナ等は配送センターで熟成させてから拠点に配送されるが、このバナナ等が変色等した場合は店舗に配送されないことが一般的である。また、賞味期限が近い商品も店舗に配送されないことが一般的である。このような商品は、店舗に配送されずに再利用処理装置３１へ運ばれることが一般的である。
【００８２】
また、複数の拠点（１１〜１３）のそれぞれは、食品加工工場であってもよい。この場合は、この食品加工工場が製造した食品材料及び／又は調理済み食品は、商品化されずに、再利用処理装置３１へ運ばれる。再利用処理装置３１は、この食品材料等を再利用処理する（再利用処理段階Ｓ３０１）。
【００８３】
なお、調理済み食品は、食品加工工場で調理された加工食品である。例えば賞味期限が近い調理済み食品は、店舗ではなく再利用処理装置３１へ運ばれる場合がある。このとき、回収商品データベース２１が賞味期限情報を保有し、この賞味期限情報に基づいて、コンピュータ装置２０が食品材料及び／又は調理済み食品の配送先を判定してもよい。
【００８４】
食品加工工場ごとに、製造される食品材料等が定まっている。そのため、食品加工工場から食品材料等が出荷されるとき、この食品材料等に前記識別情報が付される必要はない。食品加工工場から食品材料等が出荷されるとき、この食品材料等の数量情報に基づいて、回収商品データベース２１のデータが更新されればよい。
【００８５】
回収商品データベース２１のデータ更新のために、この食品加工工場に配置された処理装置（図示せず）は、出荷される食品材料等に係る数量情報の入力を促す。この処理装置は、この数量情報を、通信ネットワークを介してコンピュータ装置２０に送信する。コンピュータ装置２０のデータベース管理システム（図示せず）は、送信された数量情報に基づいて、回収商品データベース２１のデータを更新する。
【００８６】
ここで、本発明に係る商品再利用促進方法は、回収商品の数量を検査する段階をさらに含んでもよい。この検査により、回収商品の数量が不足していないことを確認できる。コンピュータ装置２０は回収商品の数量が不足していない前提で処理条件を判定している。そのため、もし回収商品の数量が不足している場合、コンピュータ装置２０が判定した処理条件に従って再利用処理装置３１が再利用処理を行っても、望ましい処理結果にならないおそれがある。
【００８７】
この回収商品の数量を検査する段階は、例えばプログラムによって実現されることができる。このプログラムは、コンピュータ装置２０が内蔵するメモリやハードディスクドライブ等の前記記憶装置に格納されることができる。コンピュータ装置２０が内蔵するＣＰＵ等の演算部が、このプログラムを動作させることができる。あるいは、このプログラムは、前記拠点に配置される前記処理装置に格納されてもよい。
【００８８】
この回収商品の数量を検査する段階のフローチャートの一例を図１５に示す。図１５に示される通り、まず、コンピュータ装置２０等は、それぞれの拠点が出荷した回収商品の情報を取得する（Ｓ２０３４）。具体的に説明すると、上述したように、それぞれの拠点から回収商品が出荷されるとき、出荷される回収商品のそれぞれの商品種に対応する数量情報に基づいて、回収商品データベース２１のデータが更新される（データベース構築段階Ｓ２０１）。具体的に説明すると、５個の回収商品Ａが拠点１１から再利用処理装置３１に運ばれるとき、回収商品データベース２１において、拠点１１の回収商品Ａの数量情報が５個減算され、再利用処理装置３１の回収商品Ａの数量情報が５個加算される。
【００８９】
次に、コンピュータ装置２０等は、再利用処理装置３１が入荷した回収商品の情報を取得する（Ｓ２０３５）。この取得手段は特に限定されないが、例えば拠点からの出荷時と同様に、入荷した回収商品のそれぞれに付された識別情報を、再利用処理装置３１に配置された前記読み取り装置が読み取ってもよい。あるいは、入荷した回収商品の総重量を、再利用処理装置３１に配置された重量計が取得してもよいし、入荷した回収商品の総体積を、再利用処理装置３１に配置された三次元センサが取得してもよい。この三次元センサは、入荷した回収商品の周囲３６０度の表面積情報を収集し、この表面積情報を解析することにより、入荷した回収商品の総体積を取得することができる。
【００９０】
次に、コンピュータ装置２０は、それぞれの拠点が出荷した回収商品の情報と、再利用処理装置３１が入荷した回収商品の情報と、を比較する（Ｓ２０３６）。この比較手段は特に限定されないが、例えば数量、総重量、総体積等で比較できる。
【００９１】
数量で比較する場合、例えばコンピュータ装置２０の前記演算部が、回収商品データベース２１を参照することにより、出荷商品の数量と入荷商品の数量とを比較できる。具体的に説明すると、一つ又は複数の回収商品Ａが拠点１１から再利用処理装置３１へ運ばれたとき、回収商品データベース２１において、拠点１１の回収商品Ａの数量情報が減算され、再利用処理装置３１の回収商品Ａの数量情報が加算される。この減算情報及び加算情報は、履歴情報として回収商品データベース２１に記録される。この回収商品Ａが再利用処理装置３１へ入荷されたとき、回収商品Ａに付された識別情報を、再利用処理装置３１に配置された前記読み取り装置が読み取ることにより、入荷された回収商品Ａの数量情報が取得できる。この取得した数量情報と、回収商品データベース２１の履歴情報に含まれる数量情報とを、コンピュータ装置２０の演算部が比較する。このことにより、コンピュータ装置２０の演算部が、出荷商品の数量と入荷商品の数量とを比較できる。
【００９２】
総重量で比較する場合、例えば、回収商品のそれぞれの商品種に対応する重量情報を、回収商品データベース２１が保有してもよい。このことにより、出荷商品の総重量が取得できる。入荷商品の総重量は、再利用処理装置３１に配置された重量計が取得できる。
【００９３】
総体積で比較する場合、例えば、回収商品のそれぞれの商品種に対応する体積情報を、回収商品データベース２１が保有してもよい。このことにより、出荷商品の総体積が取得できる。入荷商品の総体積は、再利用処理装置３１に配置された三次元センサが取得できる。
【００９４】
次に、それぞれの拠点（１１〜１３）が出荷した回収商品の情報と、再利用処理装置３１が入荷した回収商品の情報と、が一致したとき（Ｓ２０３６：Ｙｅｓ）、コンピュータ装置２０の演算部は処理を終了する。引き続き、再利用処理装置３１が再利用処理を行う。
【００９５】
それぞれの拠点（１１〜１３）が出荷した回収商品の情報と、再利用処理装置３１が入荷した回収商品の情報と、が不一致であるとき（Ｓ２０３６：Ｎｏ）、コンピュータ装置２０の演算部は、例えば、入荷された処理対象物の組成物構成情報に基づいて、最適な再利用処理条件を再判定してもよい（Ｓ２０３７）。この再判定は、前記処理条件判定段階Ｓ２０３を実現するプログラムを利用してもよい。または、コンピュータ装置２０の処理条件判定部２２が、この再判定をしてもよい。
【００９６】
あるいは、再判定せず、既に判定された処理条件を満たすように、処理対象物の組成物構成が調整されてもよい。例えば回収商品Ａが１０個不足している場合は、他の処理対象物に含まれる１０個の回収商品Ａを、この処理対象物に含めることができる。他の処理対象物に含まれる１０個の回収商品Ａが回収途中である場合は、それの入荷を待って再利用処理をすることができる。
【００９７】
あるいは、コンピュータ装置２０が備える報知部が、回収商品情報が不一致である旨を報知してもよい。この報知部は、例えば、ディスプレイ装置やスピーカー等によって実現できる。
【００９８】
ところで、再利用処理段階Ｓ３０１の処理結果情報に基づいて、回収商品データベースのデータが自動的に更新されてもよい。本発明に係る商品再利用促進方法のフローチャートの一例を図１６に示す。図１６に示されるとおり、再利用処理段階Ｓ３０１の処理結果情報に基づいて、データベース構築段階Ｓ２０１が、回収商品データベースを更新してもよい。
【００９９】
この処理結果情報は、例えばエネルギー発生量又はエネルギー発生パターン等を含むことができる。図５を再度参照しながら説明すると、この回収商品データベースは、複数種の回収商品のそれぞれの商品種に対応するエネルギー発生量情報又はエネルギー発生パターン情報を保有する。再利用処理段階Ｓ３０１におけるエネルギー発生量又はエネルギー発生パターンに基づいて、この回収商品データベースが保有するエネルギー発生量情報又はエネルギー発生パターン情報が更新されてもよい。このことにより、処理条件判定段階Ｓ２０３は、より最適な処理条件を判定できるようになる。
【０１００】
本発明に係る商品再利用促進方法を実現するサプライチェーンの一実施形態の構成図を図１７に示す。図１７に示されるとおり、再利用処理装置３１は、前記処理結果情報を、通信ネットワークを介して、コンピュータ装置２０の処理条件判定部２２に送信する。処理条件判定部２２は、この処理結果情報をデータベース管理システム（図示せず）等に送信する。データベース管理システム等は、この処理結果情報に基づいて、回収商品データベース２１のデータを更新する。このことにより、コンピュータ装置２０の処理条件判定部２２が、より最適な処理条件を判定できるようになる。
【０１０１】
上述したように、処理条件判定部２２はプログラムによって実現されることができる。さらには、このプログラムは、例えばニューラルネットワークから構成されてもよい。このニューラルネットワークの重み付け係数が前記処理結果情報を学習することにより、処理条件判定部２２は、より最適な処理条件を判定できるようになる。
【０１０２】
（４）発電
本発明に係る商品再利用促進方法のフローチャートの一例を図１８に示す。図１８に示されるとおり、本発明に係る商品再利用促進方法は、発電を行う段階Ｓ３０３をさらに含んでもよい。
【０１０３】
発電を行う段階Ｓ３０３は、前記エネルギー源を用いて発電を行う。このエネルギー源はガス又は熱である。
【０１０４】
このガスは、主にメタンガスである。メタンガスは燃焼しやすい気体であるため、バイオマス発電に利用することができる。環境省が開示している「平成２５年度廃棄物系バイオマス利活用導入促進事業委託業務報告書」によると、メタンガスをエネルギー源としたときの発電量は、メタンガス１Ｎｍ３あたり約１．９ｋＷｈである。このバイオマス発電は二酸化炭素を排出しないため、地球温暖化対策に大きく貢献できる。
【０１０５】
また、前記熱は、主に排熱である。例えば排熱ボイラー、スターリングエンジン、又は熱電変換素子等を利用することにより、この排熱を例えば温水供給又は排熱発電等に利用することができる。この排熱発電は二酸化炭素を削減するため、地球温暖化対策に大きく貢献できる。
【０１０６】
本発明に係る商品再利用促進方法を実現するサプライチェーンの一実施形態の構成図を図１９に示す。図１９に示されるとおり、熱回収施設３０は、発電装置３２をさらに備えることができる。なお、再利用処理装置３１を備える熱回収施設と、発電装置３２を備える熱回収施設が異なってもよい。
【０１０７】
熱回収施設３０は、再利用処理装置３１が得たエネルギー源を、発電装置３２へ供給する。発電装置３２は、供給されたエネルギー源を用いて発電を行う（発電を行う段階Ｓ３０１）。このエネルギー源がメタンガスであるとき、発電装置３２は、例えばガスエンジン発電機によって実現されることができる。
【０１０８】
あるいは、熱回収施設３０は、ボイラー（図示せず）をさらに備えることができる。このボイラーは、メタンガスを燃料にして蒸気を作り出すことができる。このボイラーは、例えばバイオガスボイラーによって実現されることができる。
【０１０９】
（５）引取条件判定
前記回収商品は、それぞれの拠点（１１〜１３）から有償で引き取られた商品であってもよい。例えば熱回収施設３０がこの回収商品を有償で引き取ることができる。なお、この回収商品の引き取り先は熱回収施設３０に限定されない。
【０１１０】
従来は廃棄処理されていた商品が有償で引き取られることにより、それぞれの拠点（１１〜１３）は、前記電力に加えて、代金をも得ることができる。その結果、商品の再利用が促進されて、循環型社会が構築される。
【０１１１】
ここで、コンピュータが回収商品の引取条件を判定してもよい。本発明に係る商品再利用促進方法のフローチャートの一例を図２０に示す。図２０に示されるとおり、本発明に係る商品再利用促進方法は、少なくともエネルギー源の発生情報に基づいて、回収商品の引取条件を判定する引取条件判定段階Ｓ２０４をさらに含んでもよい。
【０１１２】
引取条件判定段階Ｓ２０４は、少なくともエネルギー源の発生情報に基づいて、引取条件を判定できる。この発生情報は、例えば発生量又は発生パターン等を含むことができる。この引取条件は、例えば引取数量、引取商品種、又は引取料金等を含むことができる。
【０１１３】
この引取数量は、回収商品が引き取られる数量を示す。例えば、所定より多い数量又は所定より少ない数量の回収商品のみ引き取ることができる等の引取条件が判定されることができる。
【０１１４】
この引取商品種は、回収商品が引き取られる商品種を示す。例えば、所定の商品種の回収商品のみ引き取ることができる等の引取条件が判定されることができる。
【０１１５】
例えばこの引取条件と引取商品種が組み合わされて引取条件が判定されてもよい。例えば、エネルギー発生量が多い商品種であり、かつ、所定より多い数量の回収商品のみ引き取ることができる等の引取条件が判定されることができる。あるいは、例えば、エネルギー発生速度が速い発生パターンの商品種の回収商品が特に必要であるときは、この回収商品を優先して引き取ることができる等の引取条件が判定されることができる。
【０１１６】
この引取料金は、回収商品の引き取りに対応してそれぞれの拠点（１１〜１３）に支払われる料金をいう。なお、引取条件の支払先は拠点に限定されない。
【０１１７】
このような引取条件は、例えば回収商品データベースが保有することができる。回収商品データベースは、回収商品ごとにこの引取条件を保有することができる。なお、この引取条件は、回収商品データベースのほかのデータベースに保有されてもよい。
【０１１８】
さらに、この引取条件は、エネルギー発生情報に対応して自動的に更新されることができる。例えば、回収商品データベースが保有するエネルギー発生量よりも、実際に再利用処理の過程で得られたエネルギー源の発生量の方が多い場合がある。この場合、回収商品データベースが保有するエネルギー発生量がより多くなるように更新されるとともに、引取料金もより多くなるように更新されることができる。
【０１１９】
引取条件判定段階Ｓ２０４が引取条件を判定するフローチャートの一例を図２１に示す。図２１に示されるとおり、引取条件判定段階Ｓ２０４は、回収商品情報を取得する段階Ｓ２０４１と、エネルギー発生情報を取得する段階Ｓ２０４２と、引取条件を判定する段階Ｓ２０４３と、を少なくとも含むことができる。
【０１２０】
回収商品情報を取得する段階Ｓ２０４１は、回収商品についての情報を取得する。この回収商品情報は、例えば回収商品の商品種情報、数量情報、又は引取料金等を含むことができる。回収商品データベース又はＰＯＳシステム等を利用することにより、回収商品情報を取得する段階Ｓ２０４１は、この回収商品情報を取得できる。
【０１２１】
エネルギー発生情報を取得する段階Ｓ２０４２は、回収商品データベースを参照して、この回収商品情報に対応するエネルギー発生情報を取得する。このエネルギー発生情報は、前記引取料金と相関関係でありうる。
【０１２２】
引取条件を判定する段階Ｓ２０４３は、このエネルギー発生情報に基づいて、引取条件を判定する。例えば、回収商品情報を取得する段階Ｓ２０４１が得た回収商品の数量情報と、エネルギー発生情報を取得する段階Ｓ２０４２が得た回収商品ごとの引取料金を乗算することにより、引取条件を判定する段階Ｓ２０４３は、引取料金を算出することができる。
【０１２３】
引取条件判定段階Ｓ２０４は、例えばプログラムによって実現されることができる。このプログラムは、前記コンピュータ装置が内蔵するメモリやハードディスクドライブ等の前記記憶装置に格納されることができる。このコンピュータ装置が内蔵するＣＰＵ等の演算部が、このプログラムを動作させることができる。
【０１２４】
コンピュータによる引取条件判定により、それぞれの拠点（１１〜１３）と熱回収施設３０との引取交渉における効率が向上する。例えば、オンライン上で回収商品ごとの引取料金が共有されていることにより、引取料金に係る交渉の時間が短縮できる。
【０１２５】
本発明に係る商品再利用促進方法を実現するサプライチェーンの一実施形態の構成図を図２２に示す。図２２に示されるとおり、コンピュータ装置２０は、引取条件判定部２４をさらに備えることができる。
【０１２６】
引取条件判定部２４は、回収商品データベース２１を参照しながら、回収商品情報に基づいて、引取条件を自動的に判定する（引取条件判定段階Ｓ２０４）。上述したように、引取条件判定部２４はプログラムによって実現されることができる。
【０１２７】
（６）残渣物処理
本発明に係る商品再利用促進方法のフローチャートの一例を図２３に示す。図２３に示されるとおり、本発明に係る商品再利用促進方法は、残渣物を処理して再利用する段階Ｓ３０４をさらに含んでもよい。
【０１２８】
再利用処理段階Ｓ３０１の過程で、発酵を終えた未分解の有機物は残渣物となる。残渣物を処理して再利用する段階Ｓ３０４は、この残渣物を再利用する。一例を挙げれば、この残渣物は、液肥として再利用されてもよい。あるいは、この残渣物は、固液分離された後に肥料や燃料として再利用されてもよい。あるいは、上述したように有機物とメタン菌との混合を補助するために再利用されてもよい。
【０１２９】
本発明に係る商品再利用促進方法を実現するサプライチェーンの一実施形態の構成図を図２４に示す。図２４に示されるとおり、熱回収施設３０は、残渣物処理装置３３をさらに備えることができる。再利用処理装置３１は、再利用処理段階Ｓ３０１の過程で生じる残渣物を、残渣物処理装置３３へ供給する。残渣物処理装置３３は、この残渣物を処理して再利用する（残渣物を処理して再利用する段階Ｓ３０４）。
【０１３０】
再利用処理装置３１が生成する残渣物が最適な品質又は量になるように、コンピュータ装置２０の処理条件判定部２２が、最適な再利用処理条件を判定してもよい。この場合、コンピュータ装置２０の回収商品データベース２１は、この残渣物の発生量等を保有することができる。処理条件判定部２２は、回収商品データベース２１を参照することにより、最適な再利用処理条件を判定してもよい。
【０１３１】
例えば、処理対象物の成分によって、残渣物の発生量が異なることが知られている。したがって、回収商品データベース２１が保有する組成物情報は、この処理対象物の成分を含むことができる。
【０１３２】
あるいは、処理条件判定部２２は、残渣物処理装置３３が行う処理の条件が最適になるように、この処理条件を変更してもよい。例えば、残渣物を再利用して肥料を製造する場合、肥料取締法において製品の品質等の明記が義務付けられているため、処理条件判定部２２が定期的に肥料の成分分析をし、処理条件を変更してもよい。
【０１３３】
（７）包装資材処理
本発明に係る商品再利用促進方法のフローチャートの一例を図２５に示す。図２５に示されるとおり、本発明に係る商品再利用促進方法は、包装資材を処理して再利用する段階Ｓ３０５をさらに含んでもよい。
【０１３４】
再利用処理段階Ｓ３０１の過程で、回収商品は、その内容物である食品と、その商品の包装資材とに分別される。包装資材を処理して再利用する段階Ｓ３０５は、この包装資材を再利用する。一例を挙げれば、紙は、トイレットペーパーや段ボール等の原料となることができる。プラスチックは、溶かしたり、化学的に分解したり、焼却して熱エネルギーを得たりして、再利用できる。
【０１３５】
本発明に係る商品再利用促進方法を実現するサプライチェーンの一実施形態の構成図を図２６に示す。図２６に示されるとおり、熱回収施設３０は、包装資材処理装置３４をさらに備えることができる。再利用処理装置３１は、再利用処理段階Ｓ３０１の過程で生じる包装資材を、包装資材処理装置３４へ供給する。包装資材処理装置３４は、この包装資材を処理して再利用する（包装資材を処理して再利用する段階Ｓ３０５）。
【０１３６】
再利用処理装置３１が生成する包装資材が最適な品質又は量になるように、コンピュータ装置２０の処理条件判定部２２が、最適な再利用処理条件を判定してもよい。この場合、コンピュータ装置２０の回収商品データベース２１は、この包装資材の素材情報等を保有することができる。この素材情報は、例えば紙やプラスチック等の情報を含むことができる。処理条件判定部２２は、回収商品データベース２１を参照することにより、最適な再利用処理条件を判定してもよい。
【０１３７】
あるいは、処理条件判定部２２は、包装資材処理装置３４が行う処理の条件が最適になるように、この処理条件を判定してもよい。例えば、プラスチックのリサイクル手法の一つに、プラスチックを溶かして新たな原料や製品として再利用するマテリアルリサイクルという方法がある。このマテリアルリサイクルにおいて、例えば食品残渣物が付着しているプラスチックを原料とすることは困難である。そのため、マテリアルリサイクルを行う前に、このプラスチックを洗浄する必要がある。回収商品データベース２１が包装資材情報を保有したり、包装資材処理装置３４がセンサを備えたりする等により、処理条件判定部２２は、包装資材処理装置３４が行う処理条件が判定できる。
【０１３８】
２．本発明に係る第２の実施形態（商品再利用促進システム）
【０１３９】
本発明に係る商品再利用促進システムは、コンピュータを利用して、拠点から回収した複数種の回収商品を寄せ集めて再利用することを促進するシステムである。本発明に係る商品再利用促進システムを備えるサプライチェーンの一実施形態の構成図を図２７に示す。
【０１４０】
図２７に示されるとおり、このサプライチェーンは、一つ又は複数の拠点（１１〜１３）と、コンピュータ装置２０と、から少なくとも構成される。これらは、通信ネットワーク５０を介して接続されている。コンピュータ装置２０は、回収商品データベース２１と、処理条件判定部２２と、を少なくとも備える。なお、拠点の数は３つに限られない。
【０１４１】
この商品再利用促進システムは、いわゆるＰＣ、サーバ、ワークステーション、タブレット端末等のスタンドアロンのコンピュータ装置を利用することによって実現される。あるいは、この商品再利用促進システムは、ネットワークを介して協働する複数のコンピュータ装置から成るコンピュータシステムを利用することによって実現される。
【０１４２】
回収商品データベース２１は、拠点（１１〜１３）から回収された商品に係る情報を保有する。回収商品データベース２１は、前記複数種の回収商品のそれぞれの商品種に対応する組成物情報及び数量情報を少なくとも保有する。
【０１４３】
処理条件判定部２２は、回収商品データベース２１が保有する前記組成物情報及び前記数量情報に基づいて、前記再利用がなされる処理対象物の組成物構成情報を自動的に特定する。そして、処理条件判定部２２は、前記組成物構成情報に基づいて、最適化された再利用処理条件を自動的に判定する。
【０１４４】
この商品再利用促進システムは、前記再利用処理条件に基づいて再利用処理を行い、前記再利用処理の過程で得られたエネルギー源を得ることを特徴とする。
【０１４５】
回収商品データベース２１は、データベース管理システム（図示せず）を利用することにより構築されることができる。回収商品データベース２１及びこのデータベース管理システムは、前記コンピュータ装置が内蔵する又は外付けされるハードディスクドライブやソリッドステートドライブ等の記憶装置に格納されることができる。このコンピュータ装置が内蔵するＣＰＵ等の演算部が、このデータベース管理システムを動作させることができる。
【０１４６】
処理条件判定部２２は、例えばプログラムによって実現されることができる。このプログラムは、前記コンピュータ装置が内蔵するメモリやハードディスクドライブ等の前記記憶装置に格納されることができる。このコンピュータ装置が内蔵するＣＰＵ等の演算部が、このプログラムを動作させることができる。
【０１４７】
あるいは、このプログラムは、回収商品データベース２１を保有するコンピュータ装置のほかのコンピュータ装置又はコンピュータシステムに格納されてもよい。この場合、回収商品データベース２１を保有するコンピュータ装置は、このプログラムが有する機能を提供するクラウドサービスを利用することができる。このクラウドサービスとして、例えばＳａａＳ（Software as a Service）、ＩａａＳ（Infrastructure as a Service）、ＰａａＳ（Platform as a Service）等が挙げられる。
【０１４８】
これ以外にも、本発明の主旨を逸脱しない限り、上記実施の形態で挙げた構成を取捨選択したり、他の構成に適宜変更したりすることが可能である。なお、この商品再利用促進システムは、第１の実施形態において説明した技術を利用することができる。第１の実施形態において説明した技術については、再度の説明を割愛する。
【０１４９】
なお、本明細書中に記載した効果はあくまで例示であって限定されるものではなく、また他の効果があってもよい。
【符号の説明】
【０１５０】
Ｓ２０１  データベース構築段階
Ｓ２０２  処理対象物特定段階
Ｓ２０３  処理条件判定段階
Ｓ２０４  引取条件判定段階
Ｓ３０１  再利用処理段階
Ｓ３０２  再生可能エネルギー取得段階
Ｓ３０３  発電を行う段階
Ｓ３０４  残渣物を再利用する段階
Ｓ３０５  包装資材を再利用する段階
１１〜１４  拠点（中継拠点、食品加工工場、配送センター等を含む）
２０  コンピュータ装置
２１  回収商品データベース
２２  処理条件判定部
２３  拠点特定部
２４  引取条件判定部
３０  熱回収施設
３１  再利用処理装置
３２  発電装置
３３  残渣物処理装置
３４  包装資材処理装置
４０  送配電施設
【図１】
2020154394.tif 000003
【図２】
2020154394.tif 000004
【図３】
2020154394.tif 000005
【図４】
2020154394.tif 000006
【図５】
2020154394.tif 000007
【図６】
2020154394.tif 000008
【図７】
2020154394.tif 000009
【図８】
2020154394.tif 000010
【図９】
2020154394.tif 000011
【図１０】
2020154394.tif 000012
【図１１】
2020154394.tif 000013
【図１２】
2020154394.tif 000014
【図１３】
2020154394.tif 000015
【図１４】
2020154394.tif 000016
【図１５】
2020154394.tif 000017
【図１６】
2020154394.tif 000018
【図１７】
2020154394.tif 000019
【図１８】
2020154394.tif 000020
【図１９】
2020154394.tif 000021
【図２０】
2020154394.tif 000022
【図２１】
2020154394.tif 000023
【図２２】
2020154394.tif 000024
【図２３】
2020154394.tif 000025
【図２４】
2020154394.tif 000026
【図２５】
2020154394.tif 000027
【図２６】
2020154394.tif 000028
【図２７】
2020154394.tif 000029
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
コンピュータを利用して、拠点から回収した複数種の回収商品を寄せ集めて再利用することを促進する方法であって、
前記コンピュータが、
前記複数種の回収商品のそれぞれの商品種に対応する組成物情報及び数量情報を少なくとも保有する回収商品データベースを構築するデータベース構築段階と、
前記回収商品データベースに基づいて、前記再利用がなされる処理対象物の組成物構成情報を自動的に特定する処理対象物特定段階と、
前記組成物構成情報に対応するエネルギー発生量情報及びエネルギー発生パターン情報に基づいて、最適化された再利用処理条件を自動的に判定する処理条件判定段階と、
を少なくとも行う、商品再利用促進方法。
【請求項２】
前記再利用処理条件に基づいて、再利用処理を行う再利用処理段階と、
前記再利用処理の過程でエネルギー源を得る再生可能エネルギー取得段階と、
を含む、請求項１に記載の商品再利用促進方法。
【請求項３】
前記拠点は組織化された店舗である、請求項１又は２に記載の商品再利用促進方法。
【請求項４】
前記組成物情報及び前記数量情報は、回収される商品に付された識別情報によって取得する、請求項１〜３のいずれか一項に記載の商品再利用促進方法。
【請求項５】
前記識別情報はＰＯＳコードである、請求項４に記載の商品再利用促進方法。
【請求項６】
前記回収商品は食品である、請求項１〜５のいずれか一項に記載の商品再利用促進方法。
【請求項７】
前記回収商品は、前記拠点から有償で引き取られた商品である、請求項１〜６のいずれか一項に記載の商品再利用促進方法。
【請求項８】
前記再利用処理は発酵である、請求項２に記載の商品再利用促進方法。
【請求項９】
前記発酵は湿式メタン発酵である、請求項８に記載の商品再利用促進方法。
【請求項１０】
前記エネルギー源はガス又は熱である、請求項２に記載の商品再利用促進方法。
【請求項１１】
前記エネルギー源を用いて発電を行う段階を含む、請求項２、８、９、又は１０に記載の商品再利用促進方法。
【請求項１２】
前記再利用の過程で生じる残渣物を再利用する段階を含む、請求項１〜１１のいずれか一項に記載の商品再利用促進方法。
【請求項１３】
前記回収商品から分別された包装資材を再利用する段階をさらに含む、請求項１〜１２のいずれか一項に記載の商品再利用促進方法。
【請求項１４】
前記再利用処理段階は、食品加工工場から回収された食品材料及び／又は調理済み食品を再利用処理することも含む、請求項２に記載の商品再利用促進方法。
【請求項１５】
コンピュータを利用して、拠点から回収した複数種の回収商品を寄せ集めて再利用することを促進するシステムであって、 
前記コンピュータが、
前記複数種の回収商品のそれぞれの商品種に対応する組成物情報及び数量情報を少なくとも保有する回収商品データベースと、
前記回収商品データベースに基づいて、前記再利用がなされる処理対象物の組成物構成情報を自動的に特定し、前記組成物構成情報に対応するエネルギー発生量情報及びエネルギー発生パターン情報に基づいて、最適化された再利用処理条件を自動的に判定する処理条件判定部と、を少なくとも備え、
前記再利用処理条件に基づいて再利用処理を行い、前記再利用処理の過程で得られたエネルギー源を得ることを特徴とする、商品再利用促進システム。